(57)【要約】【課題】  発電要素がフィルム状部材で密封封止されたラミネート型電池の内圧が上昇した場合に優先剥離部を確実に剥離させることができるラミネート型電池を提供する。【解決手段】  発電要素３０を収容する密封部１３の周囲でラミネートフィルム１２と１４は封止されている。接着部２０の一部には優先剥離部２２が設けてある。接着部２０の周方向で優先剥離部２２の近傍には張力緩衝部２４が設けてある。張力緩衝部２４には夫々切り欠き２６が設けてある。切り欠き２６によって周方向の張力に対する張力緩衝部２４の伸び率を接着部の他の部分の伸び率より大きくできる。密封部１３の内圧が上昇した場合に優先剥離部２２の周方向両側に張力が発生する。この張力は優先剥離部２２を接着面に垂直な方向に開放することを妨げる。張力緩衝部２４によって優先剥離部２２の両側に作用する張力を低減できる。優先剥離部２２を確実に剥離させることができる。【選択図】  図１
2006351431.tif 000002
【特許請求の範囲】
【請求項１】
ラミネート型電池であり、
発電要素と、
周に沿って接着されていることによって、発電要素を収容している密封空間を形成しているフィルム状部材と、
周方向に伸びている接着部の一部に設けられており、接着部の残部よりも優先的に剥離する優先剥離部と、
優先剥離部の周方向に隣接する位置の接着部に設けられており、接着部の周方向に作用する張力に対する伸び率が接着部の残部の伸び率より大きい張力緩衝部と、
を備えているラミネート型電池。
【請求項２】
前記張力緩衝部では、その幅が接着部の残部の幅より実質的に狭く形成されていることを特徴とする請求項１に記載のラミネート型電池。
【請求項３】
前記張力緩衝部では、接着部を厚さ方向に貫通する貫通孔が設けられていることを特徴とする請求項２に記載のラミネート型電池。
【請求項４】
前記張力緩衝部では、接着部の幅方向に切り欠きが設けられていることを特徴とする請求項２に記載のラミネート型電池。
【請求項５】
前記切り欠きは、接着部の幅方向の外側に設けられていることを特徴とする請求項４に記載のラミネート型電池。
【請求項６】
前記張力緩衝部が、優先剥離部の周方向の両側に設けられていることを特徴とする請求項１から５のいずれかのラミネート型電池。
【発明の詳細な説明】
【技術分野】
【０００１】
本発明は、ラミネート型電池に関する。特に、フィルム状部材を周に沿って接着することによって発電要素を収容している密封空間を形成するとともに、密封空間の圧力（以下では内圧という）が所定値に達すると優先剥離部が確実に優先的に剥離するラミネート型電池に関する。
【背景技術】
【０００２】
電極構造体と電解液等からなる発電要素をフィルム状部材で密封したラミネート型電池が知られている。そのフィルム状部材は、周に沿って接着されることによって、発電要素を収容する密封空間を形成する。フィルム状部材を用いることによって、電池の製造コストを低減することができる。
本明細書でいう発電要素は、充電状態で回路が閉じれば発電（放電）し、放電後に充電すれば次の発電に備えて充電できる部材をいい、正確には発電かつ充電要素のことをいう。
発電要素を密封空間に封止した電池の場合、例えば過充電時や急速放電時等に、発電要素の一部が気化し、内圧が高まることがある。内圧が過度に上昇すると、発電要素を密封しているフィルム状部材のいずれかの部分が破れ、破れた箇所から電解液や気化したガスが漏れる可能性がある。
そこで、フィルム状部材の周方向に伸びる接着部の一部に、内圧が所定値に達すると優先的に剥離する優先剥離部を設ける技術が提案されている。フィルム状部材のいずれかの部分が破れるのに先立って優先剥離部からガスが噴出するように構成しておけば、噴出ガスを安全に外部へ放出する通路を予め確保しておくことができる。
【０００３】
特許文献１には、外装フィルム（フィルム状部材）同士を接着して発電要素を密封する薄型電池（ラミネート型電池）において、周方向に伸びている外装フィルムの密封部（接着部）の一部に、剥離強度の小さい箇所を設ける技術が開示されている。この技術によると、内圧が上昇した場合に、剥離強度の小さい箇所が最初に剥離すると報告されている。
特許文献２には、外装部材の一部にフィルム状部材を接着した封止部（接着部）を設けるとともに、封止部の一部に他の封止部よりも耐圧性能が低い封止手段を設ける技術が開示されている。この技術によると、内圧が上昇した場合に、耐圧性能の低い封止部が優先的に開放されると報告されている。
特許文献３には、複数枚の外装フィルム（フィルム状部材）を周に沿って熱融着することによって発電要素を封止する技術が開示されており、帯状封止部（接着部）の少なくとも一箇所では幅方向の一部に未融着部分を設ける技術が提案されている。幅方向の一部に未融着部分を設けると、その部分の耐圧性能が低くなる。この技術によると、内圧が上昇した場合に、未融着部分を設けた部分で封止部が優先的に剥離すると報告されている。
【０００４】
【特許文献１】特開平１０−５５７９２号公報（請求項１）
【特許文献２】特開平１１−８６８２３号公報（請求項１）
【特許文献３】特開２００２−１３２８６８号公報（請求項１）
【発明の開示】
【発明が解決しようとする課題】
【０００５】
特許文献１から特許文献３の技術は、接着部の一部に耐圧性能の低い部分を設け、耐圧性能の低い部分を優先剥離部に利用する技術を提案している。
本願の発明者も接着部の一部の耐圧性能を低くしたラミネート型電池を試作し、多くの実験をした。その結果、内圧を上昇させていくと、耐圧性能を低くした接着部（即ち、設計上の優先剥離部）以外の箇所で、フィルム状部材が破れる事象が頻発することが判明した。即ち、接着部の一部に耐圧性能を低くした箇所を設けるだけでは、優先剥離部が優先剥離部として機能しない場合があることが判明した。ラミネート型電池では、内圧が上昇した場合に優先剥離部が確実に優先剥離部として機能することを保証する技術が必要とされている。
【課題を解決するための手段】
【０００６】
本願の発明者は、優先剥離部以外の箇所でフィルム状部材が破れる事象を詳細に検討した。その結果、優先剥離部が正常に機能しない原因が以下に挙げる理由による可能性が高いことを突き止めた。
なお以下では、接着面に直交する方向を厚み方向という。
（１）内圧が上昇すると密封空間が厚み方向に膨張する。
（２）密封空間が厚み方向に膨張すると、フィルム状部材同士の接着面を剥がす力が作用する。しかしながらそれと同時に、フィルム状部材の周方向に伸びる接着部に、接着部を周方向に引き伸ばそうとする張力が生じる。
（４）接着部の周方向に働く張力は、フィルム状部材同士が優先剥離部で剥がれるのを抑制する力となる。
（５）結局、優先剥離部の周方向に作用する張力が、優先剥離部が優先的に剥離することを妨げるように作用する。
【０００７】
上記検討から、優先剥離部に生じる周方向の張力を低減すれば、優先剥離部が優先剥離部として機能することを保証できるようになるという発想を得た。本発明では、周方向に伸びている接着部の一部に伸び率が大きい張力緩衝部を設ける。張力緩衝部を設けることによって、優先剥離部に生じる周方向の張力を低減することができ、優先剥離部が優先剥離部として機能することを保証できるようになった。
【０００８】
本発明はラミネート型電池に具現化できる。本発明を具現化したラミネート型電池は、発電要素と、周に沿って接着されていることによって発電要素を収容している密封空間を形成しているフィルム状部材と、周方向に伸びている接着部の一部に設けられており、接着部の残部よりも優先的に剥離する優先剥離部と、優先剥離部の周方向に隣接する位置の接着部に設けられており、接着部の周方向に作用する張力に対する伸び率が接着部の残部の伸び率より大きい張力緩衝部を備えている。
ここで「接着部」とは密封空間を形成するために、フィルム部材同士を接着した部分をいう。また「周に沿って接着されている」とは密封空間を形成するフィルム状部材の全周囲に限られない。例えば１枚のフィルム状部材を２つ折りにして３辺を接着すれば密封空間を形成できる。このように３辺が接着される場合も「周に沿って接着されている」と定義する。
なお本明細書でいう「接着」は接着剤による接着に限定されず、溶着、熱圧着その他の方法でフィルム部材同士を貼り合わせることを含む広義の概念である。
【０００９】
上記構成によると、密封部の内圧が上昇した場合に、張力緩衝部が大きく伸び、優先剥離部に生じる周方向の張力を低減することができる。即ち、優先剥離部が剥離することを妨げる力を低減できる。よって密封部の内圧が上昇した場合に、優先剥離部が優先剥離部として機能することを保証できるようになる。
なお、接着部の周方向に作用する張力に対する伸び率を接着部の残部の伸び率よりも大きくするには、張力緩衝部に用いる接着剤を接着部の残部に用いる接着剤と異なるものとすることが考えられる。このとき、接着剤が固着したときの張力に対する伸び率が大きい接着剤を張力緩衝部に用い、伸び率が小さい接着剤を残部に用いる。あるいは、張力緩衝部における接着部の厚さを残部の接着部の厚さより薄くすることによっても、張力緩衝部の伸び率を残部よりも大きくすることができる。
【００１０】
接着部の張力緩衝部での幅を、接着部の残部の幅より実質的に狭く形成することが好ましい。これによっても、周方向の張力に対する張力緩衝部の伸び率を接着部の残部の伸び率より大きくすることができる。なお「接着部の幅」とは、接着面内で周方向と直交する方向の接着部の長さをいう。
【００１１】
張力緩衝部では、接着部を厚さ方向に貫通する貫通孔を設けてもよい。接着部を厚さ方向に貫通する貫通孔を設けることによっても、接着部の張力緩衝部での幅を残部の幅よりも実質的に狭くすることができる。
【００１２】
張力緩衝部では、接着部の幅方向に切り欠きを設けてもよい。切り欠きを設けることによっても、接着部の張力緩衝部での幅を残部の幅よりも実質的に狭くすることができる。
なお、張力緩衝部に貫通孔又は切り欠きを設けることは製造時にパンチング等により容易に形成することできるという長所をも有する。
【００１３】
切り欠きは、接着部の幅方向の外側に設けられていることが好ましい。密封部の内圧が上昇すると接着部の周方向に作用する張力は接着部の幅方向の外側の方が大きくなる。接着部の幅方向の外側に切り欠きを設けることによって、張力緩衝部に生じる張力をより効果的に低減することができる。密封部の内圧が上昇したときに、優先剥離部が優先剥離部として機能することを確実に保証できるようになる。
【００１４】
張力緩衝部は、優先剥離部の周方向の両側に設けられていることが好ましい。張力緩衝部を周方向で優先剥離部の両側に設けることで、張力緩衝部に生じる張力をより効果的に低減することができる。
【発明の効果】
【００１５】
本願発明によれば、発電要素がフィルム状部材で密封されたラミネート型電池の密封空間の内圧が上昇した場合に、優先剥離部が優先剥離部として機能することを保証できるようになる。フィルム状部材のいずれかの部分が破れるのに先立って優先剥離部からガスが噴出するので、噴出ガスを安全に外部へ放出することが可能となる。
【発明を実施するための最良の形態】
【００１６】
実施例の主要な特徴を列記する。
（第１形態）  張力緩衝部に設ける切り欠きは円弧状に形成されていることが好ましい。切り欠きを円弧状とすることで切り欠きの一部に応力が集中することを防止することができる。切り欠き部への応力集中による張力緩衝部の耐圧性能の低下を防止できる。
（第２形態）  発電要素の接着面内の外形形状は略矩形であることが好ましい。発電要素の接着面内の外形形状が略矩形であると、張力緩衝部によって優先剥離部に生じる張力を低減する作用が顕著に得られる。
【実施例】
【００１７】
以下、図面を参照して実施例を詳細に説明する。
＜実施例１＞
図１に実施例１のラミネート型電池１０の模式的斜視図を示す。図２（ａ）に実施例１のラミネート型電池１０の正面図を示す。図２（ｂ）に実施例１のラミネート型電池１０の平面図を示す。このラミネート型電池は扁平の発電要素３０（図２を参照）を２枚のラミネートフィルム（フィルム部材）１２、１４で密閉封止している。２枚のラミネートフィルムは発電要素３０（電極構造体と電解液）の周囲で接着されている。接着された部分を接着部２０と称す。接着部２０はラミネートフィルム１２、１４の周方向に長く伸び、一巡している。接着部２０からは密封された発電要素３０を外部と接続するための端子３２、３４が伸びている。なお、図２（ａ）と（ｂ）には端子３２、３４は図示を省略してある。
また発電要素３０を密封するために２枚のラミネートフィルムで形成された空間を密封部１３と称す。密封部１３には発電要素３０が収容されている。ラミネートフィルムには、例えば樹脂とアルミシートを積層したフィルムなどを利用することができる。
【００１８】
ラミネート型電池１０の接着部２０の一部に優先剥離部２２が設けてある。優先剥離部２２の周方向に隣接する両側に張力緩衝部２４ａと２４ｂが設けてある。
【００１９】
優先剥離部２２は密封部１３内の圧力が上昇した場合に残部に優先して剥離されるように形成されている。例えば優先剥離部２２では接着部２０の残部よりも接着性能の低い接着剤で接着されている。これにより密封部１３内の圧力が上昇した場合に優先剥離部２２が接着部２０の残部よりも剥離しやすくされている。
優先剥離部２２の他の例としては、柔軟性の高い中空状のチューブを挟んで２枚のラミネートフィルム１２と１４を接着してもよい。このときチューブはその一方の端部を密封部１３内に位置するように配置する。またチューブの他方の端部をラミネート型電池１０の外部に位置するように配置する。また２枚のラミネートフィルム１２と１４に挟まれたチューブは通常の状態ではその中空部が押しつぶされて密封部１３の内部と外部とを隔離している。この構成において密封部１３の内圧が上昇するとチューブを押し広げる力が強まる。押しつぶされていたチューブの中空部が開く。これにより密封部１３に発生したガス等をチューブの中空部を通して外部に放出することができる。
【００２０】
張力緩衝部２４ａには切り欠き２６ａが設けてられている。切り欠き２６ａを設けることによって周方向の張力に対する張力緩衝部２４ａの伸び率は接着部２０の残部よりも大きくなる。張力緩衝部２４ｂにも切り欠き２６ｂが設けられている。張力緩衝部２４ａと同様に、周方向の張力に対する張力緩衝部２４ｂの伸び率は接着部２０の残部よりも大きくなる。
【００２１】
張力緩衝部２４ａと２４ｂと優先剥離部２２の動作について説明する前に、張力緩衝部がない従来の場合の優先剥離部の動作について図６と図７を用いて説明する。
図６（ａ）は従来のラミネート型電池１００の正面図である。図６（ｂ）は従来のラミネート型電池１００の平面図である。従来のラミネート型電池１００では、発電要素３０が２枚のラミネートフィルム１２ｂと１４ｂによって形成された密封部１３ｂ内に密封されている。２枚のラミネートフィルム１２ｂと１４ｂは密封部１３ｂの周囲で接着されている。接着された部分が接着部２０ｂである。接着部２０ｂの一部に優先剥離部２２ｂが設けられている。優先剥離部の構造は図１で説明したものと同様である。なお図６（ａ）と（ｂ）には発電要素３０を外部と接続するための端子は図示を省略してある。
【００２２】
密封部１３ｂの内圧が上昇すると接着面と垂直な方向に２枚のラミネートフィルムを引き離す向きの力が作用する。従来はこの力によって接着力の弱い優先剥離部で優先的に２枚のラミネートフィルムが剥離することが期待されていた。
【００２３】
図７に従来のラミネート型電池１００の密封部１３ｂの内圧が上昇したときの状態を示す。図７（ａ）は内圧が上昇したときの従来のラミネート型電池１００の正面図である。図７（ｂ）は内圧が上昇したときの従来のラミネート型電池１００の平面図である。なお図７（ａ）に示した破線２１ｂは密封部１３ｂの内圧が上昇する前のラミネート型電池１００の外周形状を示す。
【００２４】
ラミネートフィルム１２ｂと１４ｂは柔軟性に富む。従って密封部１３ｂの内圧が上昇すると図７（ｂ）に示すように密封部１３ｂは接着面と垂直な方向に膨張する。ここで「接着面」とは前述したように２枚のラミネートフィルムが接着された面をいう。
密封部１３ｂが接着面と垂直な方向に膨張すると図７（ｂ）に矢印４２ａと矢印４２ｂで示すように優先剥離部２２における２枚のラミネートフィルム１２ｂと１４ｂを互いに引き離すように力が作用する。従来は２枚のラミネートフィルム１２ｂと１４ｂを互いに引き離すように作用する力４２ａと４２ｂにより優先剥離部が他の接着部に先立って優先的に接着面と垂直な方向に剥離されると期待されていた。
しかし密封部１３ｂが接着面と垂直な方向に膨張することによって、密封部１３ｂの周囲は接着面内で中心方向に引き寄せられる。その結果、図７（ａ）に示すように接着部２０ｂの各辺の中央部はラミネート型電池１００の中心に向かって引っ張られる。接着部２０ｂの各辺は接着面内でラミネート型電池１００の中心に向かって撓む。接着部２０ｂの各辺の撓みにより接着部２０ｂには周方向に張力が発生する。優先剥離部２２ｂの周方向の両側に作用する張力を矢印４０ａと矢印４０ｂで示す。この張力４０ａと４０ｂが優先剥離部２２ｂを接着面の垂直方向に剥離することを妨げる。
その結果、接着部２０ｂに作用する張力が比較的小さく、また応力の集中しやすい接着部２０ｂの４隅（１０１、１０２、１０３、１０４）の近傍が優先剥離部２２ｂより先に破れてしまうという事象が発生する。
なお図６と図７は説明しやすいように密封部１３ｂと接着部２０ｂの変形量を誇張して描いてある。以後の図面でも同様である。
【００２５】
次に図２と図３を用いて実施例１のラミネート型電池１０における張力緩衝部２４ａと２４ｂおよび優先剥離部２２の作用について説明する。図２（ａ）は本実施例のラミネート型電池１０の正面図である。図２（ｂ）は本実施例のラミネート型電池１０の平面図である。ラミネート型電池１０は発電要素３０を密封する密封部１３の周囲に接着部２０を備える。接着部２０では発電要素３０をその両面から覆うラミネートフィルム１２と１４が接着されている。接着部２０の一部に優先剥離部２２が設けられている。接着部２０の周方向で優先剥離部２２の両側に張力緩衝部２４ａと２４ｂが設けられている。張力緩衝部２４ａには切り欠き２６ａが設けられている。張力緩衝部２４ｂには切り欠き２６ｂが設けられている。なお図２と図３には発電要素３０を外部と接続するための端子は図示を省略してある。
【００２６】
このラミネート型電池１０において密封部１３の内圧が上昇したときの状態を図３に示す。図３（ａ）は内圧が上昇したときのラミネート型電池１０の正面図である。図３（ｂ）は内圧が上昇したときのラミネート型電池１０の平面図である。なお符号２１で示す矩形は密封部１３の内圧が上昇する前のラミネート型電池１０の外周形状を示す。
図６と図７の説明と同様に密封部１３の内圧が上昇すると優先剥離部２２の接着面と垂直な方向に力４２ａと４２ｂが作用する。同時に優先剥離部２２の周方向に張力が発生する。しかしこのとき張力緩衝部２４ａと２４ｂの張力に対する伸び率は接着部２０の他の部分の伸び率より大きい。張力緩衝部２４ａと２４ｂは周方向の張力によって接着部２０の他の部分よりも周方向により長く変形する。このため優先剥離部２２における中心方向への撓み量２８は、張力緩衝部のない優先剥離部２２とは反対側の接着部２０の撓み量２９より小さくなる。
従って優先剥離部２２の周方向の両側に作用する張力４４ａと４４ｂは、図７（ｂ）に示した従来のラミネート型電池１００の優先剥離部２２ｂの周方向に作用する力４０ａと４０ｂより小さくなる。優先剥離部２２を接着面と垂直な方向に剥離することを妨げる力４４ａと４４ｂを小さくできる。これにより優先剥離部２２を他の接着部に先立って優先的に剥離させることができる。
【００２７】
実施例１では接着部２０の張力緩衝部２４ａと２４ｂにおいて外側（ラミネート電池１０の外側）に切り欠き２６ａと２６ｂを設けた。接着部２０の外周側の方が内周側より張力が大きいからである。切り欠き２６ａと２６ｂは接着部２０の内側（密封部１３側）に設けてもよい。
また実施例１では図２（ａ）に示したように切り欠き２６ａと２６ｂの形状は楔型である。切り欠きの形状は楔形に限定されない。いかなる形状の切り欠きであっても同様の効果を奏することができる。切り欠きを設けることによって接着部２０の他の部分の幅より張力緩衝部２４ａと２４ｂの幅を実質的に狭くすることができる。張力緩衝部２４ａと２４ｂの幅を実質的に狭くすることによって、周方向の張力に対する張力緩衝部２４ａと２４ｂの伸び率を接着部２０の他の部分の伸び率より大きくすることができる。
切り欠きはいかなる形状でもよいが円弧状に形成することが好ましい。切り欠きを円弧状に形成することで切り欠き部のいずれかの部分に応力が集中することを防止できる。密封部１３の内圧が上昇した場合に切り欠きを有する張力緩衝部２４ａ又は２４ｂが優先剥離部２２より先に破れる可能性を低減することができる。
【００２８】
＜実施例２＞
次に図４を用いて実施例２を説明する。図４は実施例２のラミネート型電池１０ｂの正面図である。実施例１と同様の部分には同じ符号を付してある。実施例１と同様の部分については説明を省略する。
このラミネート型電池１０ｂの張力緩衝部２４ａには接着部２０をその厚さ方向に貫通する貫通孔５０ａが設けられている。同様に張力緩衝部２４ｂには接着部２０をその厚さ方向に貫通する貫通孔５０ｂが設けられている。この貫通孔５０ａと５０ｂにより張力緩衝部２４ａと２４ｂの実質的な幅を接着部２０の他の部分より狭くすることができる。張力緩衝部２４ａと２４ｂの実質的な幅を接着部２０の他の部分より狭くすることによって、張力緩衝部２４ａと２４ｂの周方向の張力に対する伸び率を接着部２０の他の部分の伸び率より大きくすることができる。これにより実施例１と同様に優先剥離部２２を接着面に垂直な方向に剥離することを妨げる周方向の張力を低減することができる。密封部１３の内圧が上昇した場合に、優先剥離部２２が優先剥離部として機能することを保証できるようになった
【００２９】
＜実施例３＞
次に図５を用いて実施例３を説明する。図５は実施例３のラミネート型電池１０ｃの正面図である。実施例１と同様の部分には同じ符号を付してある。実施例１と同様の部分については説明を省略する。
このラミネート型電池１０ｃの張力緩衝部２４ａと２４ｂの幅は接着部２０のその他の部分の幅より狭く形成されている。張力緩衝部２４ａと２４ｂの幅を接着部２０の他の部分より狭くすることにより張力緩衝部２４ａと２４ｂの周方向の張力に対する伸び率を接着部２０の他の部分の伸び率より大きくすることができる。これにより実施例１と同様に優先剥離部２２を接着面に垂直な方向に優先的に剥離することを妨げる周方向の張力を低減することができる。密封部１３の内圧が上昇した場合に優先剥離部２２を他の接着部に先立って剥離することを保証できる。
【００３０】
なお、実施例１の切り欠き２６ａと２６ｂはパンチング等の工法により簡単に形成が可能である。同様に実施例２の貫通孔５０ａと５０ｂもパンチング等の工法により簡単に形成が可能である。実施例１と実施例２の張力緩衝部の形状は加工しやすいという効果をも有する。
また実施例１から３では張力緩衝部を優先剥離部の両側に設けた。張力緩衝部を優先剥離部の方側のみに設けてもよい。張力緩衝部を方側のみに設ける構成であっても優先剥離部に対して周方向に作用する張力を低減することができる。優先剥離部を接着面に垂直な方向に剥離することを抑制するように作用する力を低減することができる。優先剥離部が優先剥離部として機能することを保証できる。
【００３１】
また実施例１から３では発電要素を２枚のラミネートフィルムで包む構造とした。その他にも１枚のラミネートフィルムを２つ折にして内部に発電要素を配置する。そしてラミネートフィルムの折り目以外の３辺を接着して接着部を形成することも好適である。この場合でも接着部の一部に優先剥離部を設けその周方向近傍に張力緩衝部を設ける。これにより優先剥離部を他の接着部に先立って優先的に剥離させることが可能となる。
【００３２】
また実施例１から４では発電要素３０の外形状を矩形とした。発電要素の外形状は矩形に限定されるものではない。しかし発電要素の接着面内の外形状が略矩形であると、前述した優先剥離部以外の箇所で外装が破れる事象の検討結果において「接着部が接着面内で電池の中央方向へ撓む」ことが特に顕著となる。即ち発電要素の外形状が略矩形であると、その周囲の接着部も密封部を囲む略矩形となる。接着部が略矩形となるとその４辺の各辺の中央部で特に電池の中心方向への撓みが大きくなる。接着部で周方向に作用する張力がより大きくなる。張力が大きくなると張力緩衝部による張力の緩和の効果が顕著に有効となる。
【００３３】
本願発明のラミネート型電池は、接着部の周方向で優先剥離部の近傍の接着部に張力緩衝部を設ける。張力緩衝部により接着部の周方向に作用する張力を緩和する。接着部の周方向で優先剥離部の両側に作用する張力を緩和することによって優先剥離部が接着面に垂直な方向に開口しやすくする。従って内圧の上昇に対する張力緩衝部の耐圧性能は接着部の他の部分と略同等に設定される。内圧の過度の上昇によって張力緩衝部が先に破断しないように設定される。よって本願発明のラミネート型電池は、内圧が過度に上昇した場合に予め定められた優先剥離部を他の接着部に先立って剥離させることができるという効果を奏する。
【００３４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図面の簡単な説明】
【００３５】
【図１】実施例１のラミネート型電池の模式的な斜視図である。
【図２】（ａ）は実施例１のラミネート型電池の正面図である。（ｂ）は実施例１のラミネート型電池の平面図である。
【図３】（ａ）は密封部の内圧が上昇した場合の実施例１のラミネート型電池の正面図である。（ｂ）は密封部の内圧が上昇した場合の実施例１のラミネート型電池の平面図である。
【図４】実施例２のラミネート型電池の正面図である。
【図５】実施例３のラミネート型電池の正面図である。
【図６】（ａ）は従来のラミネート型電池の正面図である。（ｂ）は従来のラミネート型電池の平面図である。
【図７】（ａ）は密封部の内圧が上昇した場合の従来のラミネート型電池の正面図である。（ｂ）は密封部の内圧が上昇した場合の従来のラミネート型電池の平面図である。
【符号の説明】
【００３６】
１０、１０ｂ、１０ｃ：実施例のラミネート型電池
１２、１４：ラミネートフィルム（フィルム部材）
１３：密封部
２０：接着部
２２：優先剥離部
２４ａ、２４ｂ：張力緩衝部
２６ａ、２６ｂ：切り欠き
３０：発電要素
３２、３４：電極
１００：従来のラミネート型電池
【図１】
2006351431.tif 000003
【図２】
2006351431.tif 000004
【図３】
2006351431.tif 000005
【図４】
2006351431.tif 000006
【図５】
2006351431.tif 000007
【図６】
2006351431.tif 000008
【図７】
2006351431.tif 000009